(57)【要約】【課題】  隣接する住宅ユニットの一対の床パネルに跨る大きな開口面積の床開口を、ユニット割りを特に変更することなく容易に設けることを可能にする連続床開口の施工方法を提供する。【解決手段】  隣接する住宅ユニット１０ａ，１０ｂの一対の床パネル１１ａ，１１ｂを、接合面１７に配置される側根太１８ａ，１８ｂを残して当該接合面１７の内側を矩形形状に切り欠くことにより平面コの字形状に形成して、各住宅ユニット１０ａ，１０ｂを組立てると共に、建築施工現場に搬入し、搬入された住宅ユニット１０ａ，１０ｂを、接合面１７において切欠き開口１２ａ，１２ｂを対向配置した状態で据え付けて側根太１８ａ，１８ｂ同士を接合し、しかる後に、切欠き開口１２ａ，１２ｂの開口縁部１９間の側根太２０ａ，２０ｂを切断除去することにより、接合面１７を挟んだ両側の切欠き開口１２ａ，１２ｂが連続する連続床開口１２を形成する。【選択図】      図１
2005240477.tif 000002
【特許請求の範囲】
【請求項１】
予め形成された複数の住宅ユニットを建築施工現場で組み立てて構築する枠組壁工法によるユニット住宅において、隣接する住宅ユニットの一対の床パネルに跨る連続床開口を設けるための施工方法であって、
前記隣接する住宅ユニットの下枠部材と根太と床下地材とからなる前記床パネルを、接合面に配置される側根太を残して当該接合面の内側を矩形形状に切り欠くことにより、該矩形形状の切欠き開口の両側の開口縁部が前記側根太を介して結ばれた平面コの字形状に形成して、前記隣接する住宅ユニットを各々組立てると共に、該組立てた各住宅ユニットを建築施工現場に搬入し、
搬入された前記住宅ユニットを各々吊り上げ、前記接合面を挟んで前記切欠き開口を対向配置した状態で据え付けて前記側根太同士を接合し、
しかる後に、前記切欠き開口の開口縁部間の側根太を切断除去することにより、前記接合面を挟んだ両側の切欠き開口が連続する連続床開口を形成することを特徴とするユニット住宅における連続床開口の施工方法。
【請求項２】
前記切欠き開口の開口縁部間の側根太を切断除去した後、前記連続床開口の前記接合面と直角に延設する内側面に沿って、前記接合面を挟んだ両側の切欠き開口に跨るようにして、補強用の添根太を取り付ける請求項１に記載のユニット住宅における連続床開口の施工方法。
【請求項３】
予め形成された複数の住宅ユニットを建築施工現場で組み立てて構築する枠組壁工法によるユニット住宅において使用する床開口部付住宅ユニットであって、
下枠部材と根太と床下地材とからなる矩形形状の床パネルを、隣接する住宅ユニットとの接合面となる一方の長辺部に沿って配置される側根太を残して当該長辺部の内側を矩形形状に切り欠くことにより、該矩形形状の切欠き開口の両側の開口縁部が前記側根太を介して結ばれた平面コの字形状に形成して、他のパネル部材と共に組立てられていることを特徴とする床開口部付住宅ユニット。
【発明の詳細な説明】
【技術分野】
【０００１】
本発明は、枠組壁工法によるユニット住宅において、隣接する住宅ユニットの一対の床パネルに跨る連続床開口を設けるための連続床開口の施工方法、及び床開口部付住宅ユニットに関する。
【背景技術】
【０００２】
住宅建築物の施工の迅速化や高精度化を図るべく、予め工場等で形成された複数の住宅ユニットを建築施工現場で組み立てて構築するユニット住宅が開発されている。このようなユニット住宅においては、例えば六面体形状に割り付けられて形成された各住宅ユニットを例えば搬送用のトラック等に積み込んで建築施工現場に搬入し、例えばクレーン等の吊り上げ用の重機を用いて吊り上げて所定の位置に設置し、他の住宅ユニットと共に接合一体化することによってユニット住宅を組み立てる。
【０００３】
また、枠組壁工法によるユニット住宅の場合、これを構成する住宅ユニット６０の床パネル６４は、例えば図６に示すように、下枠部材６１と根太６２と床下地材６３とからなり、頭つなぎや土台等による下枠部材６１に支持させて、複数の根太６２を平行に並べて配置し、これらの根太６２を上方から覆うようにして、構造用合板やパーティクルボード等の面材からなる床下地材６３を敷設することによって形成されている（例えば、特許文献１参照）。
【０００４】
さらに、例えば六面体形状に割り付けられる住宅ユニットの大きさは、これをトラック等の搬送車両に積み込んだ際の道路交通法上の制約を受け、その高さ制限、幅制限等を越えない大きさで住宅ユニットを形成する必要がある。
【特許文献１】特開２０００−９６７２１号公報
【発明の開示】
【発明が解決しようとする課題】
【０００５】
一方、近年の住宅需要の高まりから、様々なニーズに応じた種々の間取りを備える住宅の開発が望まれており、例えば下階の居室空間から上階の床面を貫通する吹抜け空間を設けるような設計がなされる場合がある。このような吹抜け空間を住宅ユニットを用いて形成するためには、住宅ユニットの床部分を構成する床パネルに開口部を予め形成しておき、この住宅ユニットを下方に設置された住宅ユニットの上に重ねるように据え付けることによって、下方の住宅ユニットの天井面が吹抜けとなった居室空間を形成することが可能になる。
【０００６】
しかしながら、住宅ユニットは、上述のようにその高さや幅が制限されて組み立てられるものであり、開口部もまた、制限された床パネルの大きさの範囲内で形成されることになるため、例えば隣接する住宅ユニットの一対の床パネルに跨るような大きさの、大きな開口面積を備える吹抜け開口を形成したいような場合には、特殊なユニット割りに変更する必要が生じてユニット住宅の構成が複雑になると共に、施工も困難になる。また、隣接する二つの住宅ユニットの各床パネルに、接合面となる一辺部から内側に切り欠かれた床開口を形成しておき、二つの住宅ユニットを接合した際に、これらの切り欠かれた床開口を連続させることによって、大きな開口面積の床開口を形成するようにすることも考えられるが、このように各床パネルの一辺部を切り欠いて床開口を形成した場合には、床パネルの剛性が不足することになって、住宅ユニットの吊上げ作業時や運搬作業時等に支障を来すことになる。
【０００７】
本発明は、このような従来の課題に着目してなされたもので、枠組壁工法によるユニット住宅に、隣接する住宅ユニットの一対の床パネルに跨る大きな開口面積の床開口を、ユニット割りを特に変更することなく容易に設けることを可能にするユニット住宅における連続床開口の施工方法及び床開口部付住宅ユニットを提供することを目的とする。
【課題を解決するための手段】
【０００８】
本発明は、予め形成された複数の住宅ユニットを建築施工現場で組み立てて構築する枠組壁工法によるユニット住宅において、隣接する住宅ユニットの一対の床パネルに跨る連続床開口を設けるための施工方法であって、前記隣接する住宅ユニットの下枠部材と根太と床下地材とからなる前記床パネルを、接合面に配置される側根太を残して当該接合面の内側を矩形形状に切り欠くことにより、該矩形形状の切欠き開口の両側の開口縁部が前記側根太を介して結ばれた平面コの字形状に形成して、前記隣接する住宅ユニットを各々組立てると共に、該組立てた各住宅ユニットを建築施工現場に搬入し、搬入された前記住宅ユニットを各々吊り上げ、前記接合面を挟んで前記切欠き開口を対向配置した状態で据え付けて前記側根太同士を接合し、しかる後に、前記切欠き開口の開口縁部間の側根太を切断除去することにより、前記接合面を挟んだ両側の切欠き開口が連続する連続床開口を形成することを特徴とするユニット住宅における連続床開口の施工方法を提供することにより、上記目的を達成したものである。
【０００９】
そして、本発明のユニット住宅における連続床開口の施工方法によれば、前記切欠き開口の開口縁部間の側根太を切断除去した後、前記連続床開口の前記接合面と直角に延設する内側面に沿って、前記接合面を挟んだ両側の切欠き開口に跨るようにして、補強用の添根太を取り付けることが好ましい。
【００１０】
また、本発明は、予め形成された複数の住宅ユニットを建築施工現場で組み立てて構築する枠組壁工法によるユニット住宅において使用する床開口部付住宅ユニットであって、下枠部材と根太と床下地材とからなる矩形形状の床パネルを、隣接する住宅ユニットとの接合面となる一方の長辺部に沿って配置される側根太を残して当該長辺部の内側を矩形形状に切り欠くことにより、該矩形形状の切欠き開口の両側の開口縁部が前記側根太を介して結ばれた平面コの字形状に形成して、他のパネル部材と共に組立てられていることを特徴とする床開口部付住宅ユニットを提供することにより、上記目的を達成したものである。
【発明の効果】
【００１１】
本発明のユニット住宅における連続床開口の施工方法及び床開口部付住宅ユニットによれば、枠組壁工法によるユニット住宅に、隣接する住宅ユニットの一対の床パネルに跨る大きな開口面積の床開口を、ユニット割りを特に変更することなく容易に設けることができる。
【発明を実施するための最良の形態】
【００１２】
本発明の好ましい一実施形態に係るユニット住宅における連続床開口の施工方法は、例えば図１に示すように、枠組壁工法によるユニット住宅において、上階部分に配置される隣接する住宅ユニット１０ａ，１０ｂの一対の床パネル１１ａ，１１ｂに跨って、相当の開口面積を有する連続床開口１２を形成し、下階部分の住宅ユニット１３ａ，１３ｂによる居室空間の天井面に大きな吹抜け開口を設けるべく採用されたものである。
【００１３】
すなわち、本実施形態の連続床開口の施工方法は、予め形成された複数の住宅ユニット１０ａ，１０ｂ，１３ａ，１３ｂを建築施工現場で組み立てて構築する枠組壁工法によるユニット住宅において、隣接する住宅ユニット１０ａ，１０ｂの一対の床パネル１１ａ，１１ｂに跨る連続床開口１２を設けるための施工方法であって、隣接する住宅ユニット１０ａ，１０ｂの下枠部材１４と根太１５，１８と床下地材１６とからなる床パネル１１ａ，１１ｂ（図３参照）を、接合面１７に配置される側根太１８ａ１８ｂを残して当該接合面１７の内側を矩形形状に切り欠くことにより、この矩形形状の切欠き開口１２ａ，１２ｂの両側の開口縁部１９が側根太１８ａ１８ｂを介して結ばれた平面コの字形状に形成して、隣接する住宅ユニット１０ａ，１０ｂを各々組立てると共に、組立てた各住宅ユニット１０ａ，１０ｂを建築施工現場に搬入する。そして、建築施工現場で搬入された住宅ユニット１０ａ，１０ｂを各々吊り上げ、接合面１７を挟んで切欠き開口１２ａ，１２ｂを対向配置した状態で据え付けて側根太１８ａ１８ｂ同士を接合し、しかる後に、切欠き開口１２ａ，１２ｂの開口縁部１９間の側根太２０ａ，２０ｂを切断除去することにより、接合面１７を挟んだ両側の切欠き開口１２ａ，１２ｂが連続する連続床開口１２を形成することによって構成される。
【００１４】
また、本実施形態によれば、住宅ユニット１０ａ，１０ｂの切欠き開口１２ａ，１２ｂの開口縁部１９間の側根太２０ａ，２０ｂを切断除去した後、連続床開口１２の接合面１７と直角に延設する内側面２１に沿って、接合面１７を挟んだ両側の切欠き開口１２ａ，１２ｂに跨るようにして、補強用の添根太２２を取り付けるようになっている。
【００１５】
そして、本実施形態によれば、上階部分に配置されて連続床開口１２を形成する住宅ユニット１０ａ，１０ｂは、切欠き開口１２ａ，１２ｂを有する床開口部付住宅ユニットとなっている。この床開口部付住宅ユニット１０ａ，１０ｂは、図２に示すように、隣接する住宅ユニットとの接合面１７となる一方の長辺部２３に沿って配置される側根太１８ａ１８ｂを残して、当該長辺部２３の内側を矩形形状に切り欠くことにより、床パネル１１ａ，１１ｂを平面コの字形状に形成し、残りの３辺部から立設する壁パネル２４を他のパネル部材として、これらと共に一体として組立てられている。なお、床パネル１１ａ，１１ｂに組み付けられる壁パネル２４等の他のパネル部材の配置は、ユニット住宅の間取り等に応じて適宜設計されるものであり、また天井パネル等を設けて床開口部付住宅ユニット１０ａ，１０ｂを形成することもできる。
【００１６】
床開口部付住宅ユニット１０ａ，１０ｂを構成する床パネル１１ａ，１１ｂは、図３に示すように、頭つなぎである下枠部材１４に支持させて、例えば幅３８ｍｍ、高さ２３５ｍｍの縦長矩形断面形状を有する、いわゆるツーバイテンの木製部材からなる側根太１８及び中間根太１５を平行に並べて配置し、これらの根太１５，１８の上面を覆うようにして、構造用合板やパーティクルボード等の面材からなる床下地材１６を敷設することによって構成されている。また、平行に配置された側根太１８及び中間根太１５の先端面には、これらの先端面を当接させるようにして、端根太２５が取り付けられることになる。
【００１７】
さらに、本実施形態によれば、床パネル１１ａ，１１ｂにおいて、側根太１８、中間根太１５、及び端根太２５は、図４に示すように配置されており、側根太１８と中間根太１５は、平面矩形形状の床パネル１１ａ，１１ｂの長手方向に延設して、接合面１７となる一方の長辺部２３と平行に並べて取り付けられている。また、接合面１７となる一方の長辺部２３の内側には、当該長辺部２３に沿って配置される側根太１８ａ１８ｂを残して、中間根太１５及び床下地材１６を設けることなく矩形形状に切り欠くことによって、切欠き開口１２ａ，１２ｂが各々形成されることになる。
【００１８】
なお、本実施形態によれば、１Ｐ＝９１ｃｍを１モジュールとして、他方の長辺部２６及び一対の短辺部２７との間に少なくとも０．７５Ｐ幅の床パネル部分を残した状態で、矩形形状の切欠き開口１２ａ，１２ｂが、例えば略２．５Ｐ×５Ｐの大きさで各床パネル１１ａ，１１ｂに各々開口形成されている。これによって、各床開口部付住宅ユニット１０ａ，１０ｂが下階部分の住宅ユニット１３ａ，１３ｂの上に据え付けられた際に、一対の切欠き開口１２ａ，１２ｂが接合面１７を挟んで一体となって、例えば略５Ｐ×５Ｐの大きさの略正方形の連続床開口１２を形成できる状態となる。ここで、他方の長辺部２６及び一対の短辺部２７との間に少なくとも０．７５Ｐ幅の床パネル部分を残して各切欠き開口１２ａ，１２ｂが形成されていることにより、床パネル１１ａ，１１ｂが接合一体化されたされた後、開口縁部１９間の側根太２０ａ，２０ｂを切断除去して取り除いた場合でも、一体となった床パネル１１ａ，１１ｂの全体で相当の剛性を保持して、床パネル１１ａ，１１ｂの耐力床としての機能を保持することが可能になる。
【００１９】
そして、本実施形態によれば、上述のような構成の床開口部付住宅ユニット１０ａ，１０ｂを建築施工現場に搬入した後、これらを各々吊り上げて、接合面１７を挟んで各床パネル１１ａ，１１ｂの切欠き開口１２ａ，１２ｂを対向配置した状態で、下階部分の住宅ユニット１３ａ，１３ｂの上に据え付ける（図１参照）。かかる運搬作業時や吊り上げ作業時において、切欠き開口１２ａ，１２ｂを有する床パネル１１ａ，１１ｂは、切欠き開口１２ａ，１２ｂの両側の開口縁部１９が側根太１８ａ１８ｂを連結梁として結ばれていて、当該連結梁部分を含む側根太１８や端根太２５による骨組み構造によって、その剛性を強固に保持しているので、切欠き開口１２ａ，１２ｂの存在により剛性が小さくなってこれらの作業に支障をきたすことがない。
【００２０】
次に、据え付けられた床開口部付住宅ユニット１０ａ，１０ｂの各床パネル１１ａ，１１ｂを、接合面１７において接合一体化する。すなわち、接合面１７に沿って配置された各床パネル１１ａ，１１ｂの側根太１８ａ，１８ｂを、切欠き開口１２ａ，１２ｂの両側の切断されない部分において、図５（ａ），（ｂ）に示すように、例えば縦横１３０ｍｍ、厚さ２４ｍｍ程度の大きさの、中央にボルト穴が形成された補強板２８を側根太１８ａ，１８ｂの間に挟み込むと共に、ボルト２９によって締着固定し、さらに固定釘３０を必要数打ち込むことによって、強固に接合一体化する。ここで、補強板２８とボルト２９による締着固定は、接合面１７に切欠き開口を備えていない一般の床パネルにおいては、例えば１００〜２００ｃｍ程度のピッチで行っているものを、当該切欠き開口１２ａ，１２ｂの両側の部分において、例えば３０〜６０ｃｍ程度のピッチで集中して行うことにより、切欠き開口１２ａ，１２ｂが設けられていることによる接合強度の低下を、容易に補うことが可能になる。
【００２１】
側根太１８ａ，１８ｂを介して一対の床パネル１１ａ，１１ｂを接合一体化したら、図１に示すように、切欠き開口１２ａ，１２ｂの開口縁部１９間の側根太２０ａ，２０ｂを切断除去することにより、接合面１７を挟んだ両側の切欠き開口１２ａ，１２ｂが連続する連続床開口１２が形成されることになる。このような切断作業は、切欠き開口１２ａ，１２ｂの両側の部分において十分な接合強度で床パネル１１ａ，１１ｂが接合一体化されているので、安全且つ容易に行うことができ、これによって、隣接する住宅ユニット１０ａ，１０ｂの一対の床パネル１１ａ，１１ｂに跨る大きな開口面積の床開口１２を、ユニット割りを特に変更することなく容易かつスムーズに設けることが可能になる。
【００２２】
本実施形態によれば、さらに、形成された連続床開口１２の接合面１７と直角に延設する内側面２１に沿って、接合面１７を挟んだ両側の切欠き開口１２ａ，１２ｂに跨るようにして、補強用の添根太２２を取り付ける。かかる取り付け作業は、添根太２２として、例えば幅３８ｍｍ、高さ２３５ｍｍの縦長矩形断面形状を有する略５Ｐの長さの木製部材を用い、これを切欠き開口１２ａ，１２ｂの内側面に配置された端根太２５に添設するようにして、一対の床パネル１１ａ，１１ｂに跨るようにして設置した後、固定釘等を用いて端根太２５に固定することにより、容易に取り付けることができる。添根太２２が取り付けられていることにより、隣接する住宅ユニット１０ａ，１０ｂの一対の床パネル１１ａ，１１ｂに跨るの連続床開口１２を、さらに安定した状態で設けることが可能になる。
【００２３】
したがって、本実施形態のユニット住宅における連続床開口１２の施工方法及び床開口部付住宅ユニット１０ａ，１０ｂによれば、上述のように、枠組壁工法によるユニット住宅に、隣接する住宅ユニット１０ａ，１０ｂの一対の床パネル１１ａ，１１ｂに跨る大きな開口面積の床開口１２を、ユニット割りを特に変更することなく容易に設けることができる。
【００２４】
なお、本発明は、上記実施形態に限定されることなく種々の変更が可能である。例えば連続床開口は略正方形に形成する必要は必ずしもなく、その他の種々の形状に形成することもできる。また、接合面と直角な内側面に沿って添根太を取り付けることにより連続床開口を補強する必要は必ずしもなく、その他の補強方法を採用することもできる。さらに、本発明の床開口部付住宅ユニットによれば、切欠き開口を対向配置して据え付けた後、切欠き開口の開口縁部間の側根太を切断除去することなく残置して、例えば装飾用の梁等として利用することもできる。
【図面の簡単な説明】
【００２５】
【図１】本発明の一実施形態に係る連続床開口の施工方法を説明する斜視図である。
【図２】本発明の一実施形態に係る床開口部付住宅ユニットを説明する斜視図である。
【図３】床パネルの構成を説明する部分破断斜視図である。
【図４】床パネルにおける根太の配置を例示する平面図である。
【図５】（ａ）は一対の床パネルを接合する接合構造の、図１のＡ−Ａに沿った断面図、（ｂ）は同接合構造に用いる補強板の斜視図である。
【図６】従来の枠組壁工法による住宅ユニットの床パネルの構成を例示する断面図である。
【符号の説明】
【００２６】
１０ａ，１０ｂ  床開口部付住宅ユニット（住宅ユニット）
１１ａ，１１ｂ  床パネル
１２  連続床開口
１２ａ，１２ｂ  切欠き開口
１３ａ，１３ｂ  下階部分の住宅ユニット
１４  下枠部材
１５  中間根太
１６  床下地材
１７  接合面
１８  側根太
１８ａ，１８ｂ  接合面に配置される側根太
１９  開口縁部
２０ａ，２０ｂ  開口縁部間の側根太
２１  切欠き開口の接合面と直角に延設する内側面
２２  添根太
２３  一方の長辺部
２４  壁パネル
２５  端根太
２６  他方の長辺部
２７  一対の短辺部
２８  補強板
２９  ボルト
３０  固定釘
【図１】
2005240477.tif 000003
【図２】
2005240477.tif 000004
【図３】
2005240477.tif 000005
【図４】
2005240477.tif 000006
【図５】
2005240477.tif 000007
【図６】
2005240477.tif 000008